(57)【要約】【課題】  注記の付いていたモデルの確認が容易な３次元形状処理装置を提供する。【解決手段】  ３次元形状モデルに付けられた注記が表示中か判断し、非表示の注記があった場合、当該注記を表示装置５に表示するよう制御する注記情報処理手段１１を備えた３次元形状処理装置。【選択図】  図２
2007047947.tif 000002
【特許請求の範囲】
【請求項１】
３次元形状モデルに付けられた注記が表示中か否かを判断し、非表示の注記があった場合、当該注記を表示することを特徴とする３次元形状処理方法。
【請求項２】
請求項１に記載の３次元形状処理方法において、非表示の注記を表示後、当該注記を再度非表示とすることを特徴とする３次元形状処理方法。
【請求項３】
請求項１に記載の３次元形状処理方法において、表示中の注記と非表示の注記を、区別して表示することを特徴とする３次元形状処理方法。
【請求項４】
請求項３に記載の３次元形状処理方法において、表示中の注記と非表示の注記を、文字色を変更して表示することを特徴とする３次元形状処理方法。
【請求項５】
請求項４に記載の３次元形状処理方法において、表示中の注記とその注記が付与する要素を結ぶ線の色と、非表示の注記とその注記が付与する要素を結ぶ線の色とを異ならせたことを特徴とする３次元形状処理方法。
【請求項６】
請求項３に記載の３次元形状処理方法において、表示中の注記とその注記が付与する要素を結ぶ線の太さと、非表示の注記とその注記が付与する要素を結ぶ線の太さとを異ならせたことを特徴とする３次元形状処理方法。
【請求項７】
請求項３に記載の３次元形状処理方法において、表示中の注記とその注記が付与する要素を結ぶ線の種類と、非表示の注記とその注記が付与する要素を結ぶ線の種類とを異ならせたことを特徴とする３次元形状処理方法。
【請求項８】
３次元形状モデルに付けられた注記が表示中か否かを判断し、非表示の注記があった場合、当該注記を表示装置に表示するよう制御する注記情報処理手段を備えたことを特徴とする３次元形状処理装置。
【請求項９】
請求項８に記載の３次元形状処理装置において、前記注記情報処理手段は、非表示の注記を表示後、当該注記を再度非表示とするよう制御することを特徴とする３次元形状処理装置。
【請求項１０】
請求項８に記載の３次元形状処理装置において、前記注記情報処理手段は、表示中の注記と非表示の注記を、区別して表示するよう制御することを特徴とする３次元形状処理装置。
【請求項１１】
請求項１０に記載の３次元形状処理装置において、前記注記情報処理手段は、表示中の注記と非表示の注記を、文字色を変更して表示するよう制御することを特徴とする３次元形状処理装置。
【請求項１２】
請求項１１に記載の３次元形状処理装置において、前記注記情報処理手段は、表示中の注記とその注記が付与する要素を結ぶ線の色と、非表示の注記とその注記が付与する要素を結ぶ線の色とを異ならせるよう制御することを特徴とする３次元形状処理装置。
【請求項１３】
請求項１０に記載の３次元形状処理装置において、前記注記情報処理手段は、表示中の注記とその注記が付与する要素を結ぶ線の太さと、非表示の注記とその注記が付与する要素を結ぶ線の太さとを異ならせるよう制御することを特徴とする３次元形状処理装置。
【請求項１４】
請求項１０に記載の３次元形状処理装置において、前記注記情報処理手段は、表示中の注記とその注記が付与する要素を結ぶ線の種類と、非表示の注記とその注記が付与する要素を結ぶ線の種類とを異ならせるよう制御することを特徴とする３次元形状処理装置。
【請求項１５】
請求項１乃至請求項８のいずれか１項に記載の３次元形状処理方法による３次元形状処理を実行するコンピュータ読み取り可能なプログラム。
【請求項１６】
請求項１５記載のプログラムを記憶した記憶媒体。
【発明の詳細な説明】
【技術分野】
【０００１】
本発明は、３次元形状処理方法および３次元形状処理装置に関する。
【背景技術】
【０００２】
近年、ＣＡＤ／ＣＡＭ／ＣＡＥを使った設計・生産に３次元形状モデルが活用されている。３次元形状モデルの編集などを行った際に、変更内容を３次元形状モデルに注記として付けることがある。例えば、特許文献１には、３次元形状部と干渉し合うことなくコメントおよび対応付けのための矢印が表示される技術が提案されている。
【特許文献１】特開平８−１６１３８８号公報
【発明の開示】
【発明が解決しようとする課題】
【０００３】
３次元形状モデルの変更を繰り返す中で、同じパーツに複数の注記が付けられた場合、モデルが見づらくなるため過去の注記は不要であるが、削除すると過去の履歴が消えてしまうため、注記を非表示にする必要があった。
しかし、パーツの多いモデルなどで、注記を非表示にしてしまうと、どのモデルに注記が付いていたのか確認することが非常に困難であった。
本発明は、注記の付いていたモデルの確認が容易な３次元形状処理方法および３次元形状処理装置を提供することを目的とする。
【課題を解決するための手段】
【０００４】
上記目的を達成するために、請求項１記載の発明は、３次元形状モデルに付けられた注記が表示中か否かを判断し、非表示の注記があった場合、当該注記を表示することを特徴とする。
請求項２記載の発明は、請求項１に記載の３次元形状処理方法において、非表示の注記を表示後、当該注記を再度非表示とする３次元形状処理方法を主要な特徴とする。
請求項３記載の発明は、請求項１に記載の３次元形状処理方法において、表示中の注記と非表示の注記を、区別して表示する３次元形状処理方法を主要な特徴とする。
請求項４記載の発明は、請求項３に記載の３次元形状処理方法において、表示中の注記と非表示の注記を、文字色を変更して表示する３次元形状処理方法を主要な特徴とする。
請求項５記載の発明は、請求項４に記載の３次元形状処理方法において、表示中の注記とその注記が付与する要素を結ぶ線の色と、非表示の注記とその注記が付与する要素を結ぶ線の色とを異ならせた３次元形状処理方法を主要な特徴とする。
請求項６記載の発明は、請求項３に記載の３次元形状処理方法において、表示中の注記とその注記が付与する要素を結ぶ線の太さと、非表示の注記とその注記が付与する要素を結ぶ線の太さとを異ならせた３次元形状処理方法を主要な特徴とする。
請求項７記載の発明は、請求項３に記載の３次元形状処理方法において、表示中の注記とその注記が付与する要素を結ぶ線の種類と、非表示の注記とその注記が付与する要素を結ぶ線の種類とを異ならせた３次元形状処理方法を主要な特徴とする。
請求項８記載の発明は、３次元形状モデルに付けられた注記が表示中か判断し、非表示の注記があった場合、当該注記を表示装置に表示するよう制御する注記情報処理手段を備えた３次元形状処理装置を最も主要な特徴とする。
請求項９記載の発明は、請求項８に記載の３次元形状処理装置において、注記情報処理手段は、非表示の注記を表示後、当該注記を再度非表示とするよう制御する３次元形状処理装置を主要な特徴とする。
【０００５】
請求項１０記載の発明は、請求項８に記載の３次元形状処理装置において、注記情報処理手段は、表示中の注記と非表示の注記を、区別して表示するよう制御する３次元形状処理装置を主要な特徴とする。
請求項１１記載の発明は、請求項１０に記載の３次元形状処理装置において、注記情報処理手段は、表示中の注記と非表示の注記を、文字色を変更して表示するよう制御する３次元形状処理装置を主要な特徴とする。
請求項１２記載の発明は、請求項１１に記載の３次元形状処理装置において、注記情報処理手段は、表示中の注記とその注記が付与する要素を結ぶ線の色と、非表示の注記とその注記が付与する要素を結ぶ線の色とを異ならせるよう制御する３次元形状処理装置を主要な特徴とする。
請求項１３記載の発明は、請求項１０に記載の３次元形状処理装置において、注記情報処理手段は、表示中の注記とその注記が付与する要素を結ぶ線の太さと、非表示の注記とその注記が付与する要素を結ぶ線の太さとを異ならせるよう制御する３次元形状処理装置を主要な特徴とする。
請求項１４記載の発明は、請求項１０に記載の３次元形状処理装置において、注記情報処理手段は、表示中の注記とその注記が付与する要素を結ぶ線の種類と、非表示の注記とその注記が付与する要素を結ぶ線の種類とを異ならせるよう制御する３次元形状処理装置を主要な特徴とする。
請求項１５記載の発明は、請求項１乃至請求項８のいずれか１項に記載の３次元形状処理方法による３次元形状処理を実行するコンピュータ読み取り可能なプログラムを最も主要な特徴とする。
請求項１６記載の発明は、請求項１５記載のプログラムを記憶した記憶媒体を最も主要な特徴とする。
【発明の効果】
【０００６】
本発明によれば、非表示の注記を必要に応じて確認することができる。非表示の注記と表示中の注記を識別することができる。
【発明を実施するための最良の形態】
【０００７】
以下に、本発明の実施形態を図面に従って説明する。
図１は本発明の実施形態に係る３次元形状処理装置のハードウェア構成図である。図示したように、この３次元形状処理装置は、プログラムに従って動作するＣＰＵ１、そのプログラムや各種データを一時的に記憶するメモリ（例えばＲＡＭ）２、前記プログラムや各種データを保存しておく外部記憶装置（例えばハードディスク装置）３、着脱可能な記憶媒体からデータを読み込むと共に、キーボード、マウスなどを有して３次元形状データを含む各種データや指示を入力する入力装置４、３次元形状モデルなどを表示する表示装置５を備える。
図２は本発明の実施形態に係る３次元形状処理装置の機能ブロック図である。当該装置は、ＣＰＵ１の機能として外部記憶装置３から得た３次元形状モデルの情報から注記情報を取り出し、処理をするための注記情報処理部１１を備える。メモリ２は、注記情報処理部１１や表示装置５で一時的に計算結果等を記憶しておくために使用される。外部記憶装置３は、３次元形状モデルの情報を記憶しておくために使用される。表示装置５は、注記情報処理部１１の処理結果を入力として、画面に注記を表示するために使用される。
図３は本発明の３次元形状処理を実行する前の機械部品の注記表示状態を示す図である。表示中の２つの注記が他と区別する色(例えば赤)で示されている。
図４は本発明の３次元形状処理を実行した後の機械部品の注記表示状態を示す図である。表示中の２つの注記と、注記とその対象パーツを結ぶ線Ａ、Ｂを同一の色(例えば黄色)で、また非表示中であった２つの注記と、注記とその対象パーツを結ぶ線Ｃ、ＤをＡ、Ｂとは異なる同一の色(例えば白色)で表示している。
【０００８】
図５は本発明の３次元形状処理動作フロー図である。この実施例では、注記が付けられている３次元形状モデルが入力として与えられた場合に、注記の表示／非表示によって注記の文字とその注記の付与する要素を結ぶ線の表示方法を変更する。
まず、与えられた３次元形状モデルの全ての要素について、注記が付けられているかを確認していく(Ｓ１)。そして、注記の付与されている要素が見つかったら、その要素に付与されている全ての注記について表示中であるか、非表示であるかを確認する(Ｓ２)。
注記が表示中であったならば、外部記憶装置３から表示中の注記を表示する設定を読み込み、その設定と注記の情報を表示装置５に渡す(Ｓ３)。また、注記が非表示であったならば、外部記憶装置３から非表示の注記を表示する設定を読み込み、その設定と注記の情報を表示装置５に渡す(Ｓ４)。全ての要素に付与されている注記全てについて、表示装置５に設定と注記の情報を渡したら(Ｓ５でｎ)、処理を終了する。
この実施例によれば、図４に示したように注記が表示される。即ち表示中であった注記と非表示であった注記の表示形態を変えることで容易に非表示であった注記が判別できる。
【０００９】
なお、上記実施例では、表示の変更形態として、注記の文字と注記とその注記の付与する要素を結ぶ線の色を変える形態を用いたが、注記の文字サイズ、注記の文字と注記とその注記の付与する要素を結ぶ線の太さや線の種類を変えることでも容易に判別することが可能である。
また、注記情報処理部１１で非表示であった注記を表示装置５に表示させた後に、注記情報処理部１１で次回以降再度その注記を非表示に設定することができる。
以上、本発明の実施例を説明したが、説明したような３次元形状処理方法に従ってプログラミングしたプログラムを着脱可能な記憶媒体に記憶し、その記憶媒体を、これまで本発明による３次元形状処理を行えなかったパーソナルコンピュータなど情報処理装置に装着することにより、または、そのようなプログラムを、ネットワークを介してそのような情報処理装置へ転送することにより、そのような情報処理装置においても本発明による３次元形状処理を行うことができる。
【図面の簡単な説明】
【００１０】
【図１】本発明の実施形態に係る３次元形状処理装置のハードウェア構成図である。
【図２】本発明の実施形態に係る３次元形状処理装置の機能ブロック図である。
【図３】本発明の３次元形状処理を実行する前の機械部品の注記表示状態を示す図である。
【図４】本発明の３次元形状処理を実行した後の機械部品の注記表示状態を示す図である。
【図５】本発明の３次元形状処理動作フロー図である。
【符号の説明】
【００１１】
５  表示装置
１１  注記情報処理部(注記情報処理手段)
【図１】
2007047947.tif 000003
【図２】
2007047947.tif 000004
【図３】
2007047947.tif 000005
【図４】
2007047947.tif 000006
【図５】
2007047947.tif 000007